(57)【特許請求の範囲】
【請求項１】
座部体が回転手段によって脚体に回転可能に設けられる椅子において、
上記回転手段は、
上記脚体の上端に取り付けられた第１の取付け部材と、
上記座部体の下面に取付けられ上記第１の取付け部材に回転可能に連結された第２の取付け部材と、
上記第２の取付け部材に回動可能に設けられ一端部に上記第１の取付け部材に形成された係合部に係合する係合ピンが設けられたストッパと、
上記係合ピンが上記係合部に係合する方向に上記ストッパを付勢したばねと、
上記ストッパの他端部に一体的に取付けられた連結部材及びこの連結部材の両側に基端部を連結し先端部が側方に延出されるとともにその先端部が上記ストッパとほぼ同方向に屈曲されてこのストッパと同方向に回動する一対の操作レバーとを有し、この操作レバーの回動操作によって上記ストッパを上記係合ピンが上記係合部から外れる方向に回動させる解除手段と
を具備したことを特徴とする椅子。
【請求項２】
上記解除手段の操作レバーは、中途部が上記座部体の下面に回転自在に支持され、先端部が上記座部体の両側下面に位置することを特徴とする請求項１記載の椅子。
【発明の詳細な説明】
【０００１】
【発明の属する技術分野】
この発明は座部体が脚体に対して回動可能に設けられた椅子に関する。
【０００２】
【従来の技術】
椅子は、脚体と座部体とを有する。利用者が着座方向を容易に変えることができるようにするため、上記脚体にキャスタを設けるようにしている。脚体にキャスタを設けた場合、椅子を動かす必要がないときの安定性が悪いため、使用しにくいということがある。
【０００３】
そこで、脚体にキャスタを設けずに、座部体を脚体に対して回転可能に設け、座部体を回転させることで利用者が着座方向を自由に変えることができるようにした椅子がある。その場合、座部体が自由に回転したのでは安定性が悪いから、上記座部体を回転不能に固定できるストッパを設けるようにしている。
【０００４】
【発明が解決しようとする課題】
座部体を回転不能に固定できるストッパ手段を設けた場合、座部体に着座した利用者がそのストッパの操作を容易に、しかも確実に行うことができる構成が望まれる。とくに、利用者が体力の衰えた老人や病人の場合、ストッパを軽い力で容易に操作できるようにしなければならない。
【０００５】
この発明は、脚体に座部体を回転可能に設け、その回転をストッパによって止めることができるようにした場合、そのストッパの操作を容易に、しかも確実に行うことができるようにした椅子を提供することにある。、
【０００６】
【課題を解決するための手段】
請求項１の発明は、座部体が回転手段によって脚体に回転可能に設けられる椅子において、
上記回転手段は、
上記脚体の上端に取り付けられた第１の取付け部材と、
上記座部体の下面に取付けられ上記第１の取付け部材に回転可能に連結された第２の取付け部材と、
上記第２の取付け部材に回動可能に設けられ一端部に上記第１の取付け部材に形成された係合部に係合する係合ピンが設けられたストッパと、
上記係合ピンが上記係合部に係合する方向に上記ストッパを付勢したばねと、
上記ストッパの他端部に一体的に取付けられた連結部材及びこの連結部材の両側に基端部を連結し先端部が側方に延出されるとともにその先端部が上記ストッパとほぼ同方向に屈曲されてこのストッパと同方向に回動する一対の操作レバーとを有し、この操作レバーの回動操作によって上記ストッパを上記係合ピンが上記係合部から外れる方向に回動させる解除手段と
を具備したことを特徴とする。
【０００７】
請求項２の発明は、請求項1の発明において、上記解除手段の操作レバーは、中途部が上記座部体の下面に回動自在に支持され、先端部が上記座部体の両側下面に位置することを特徴とする。
【０００８】
このような構成によれば、ストッパを操作する操作レバーを有し、その操作レバーの先端部がストッパとほぼ同方向に屈曲されているため、その操作レバーによって上記ストッパの操作を容易に、しかも確実に行うことができる。
【０００９】
【発明の実施の形態】
以下、この発明の一実施の形態を図面を参照して説明する。
【００１０】
図５（ａ），（ｂ）はこの発明の椅子１を示し、この椅子１は脚体２と、この脚体２に回転手段３によって回転可能に設けられた座部体４を有する。上記脚体２は４本の脚５を放射状に配置するとともに、これら脚５の上端部を一体的に結合してなる。上記座部体４は座部６を有し、この座部６の後端に背もたれ７が立設され、両側には肘掛８が設けられている。
【００１１】
上記回転手段３は、図１と図２に示すように矩形板状の第１の取付け部材１１と第２の取付け部材１２とを有する。第１の取付け部材１１は脚体２の上端に取付けられ、第２の取付け部材１２は座部体４の下面に取付けられている。
【００１２】
各取付け部材１１，１２は中心部に連結孔１１ａ，１２ａが形成されているとともに、この連結孔を中心にして環状溝１１ｂ，１２ｂが形成されている。一対の取付け部材１１，１２は、環状溝１１ｂ，１２ｂを対向させて接合され、その環状溝１１ｂ、１２ｂにはリテイナー１３に保持されたボール１４が設けられている。
【００１３】
そして、一対の取付け部材１１，１２は、対向する連結孔１１ａ，１２ａにボルト１４ａが通され、第１の取付け部材１１の下面側に突出した上記ボルト１４ａの端部には座金１５を介してボール１６を保持した押え板１７が螺合されている。それによって、上記第１の取付け部材１１に対して第２の取付け部材１２が回転可能となっている。なお、上記ボルト１４ａの突出端部はカシメられ、それによって上記押え板１７が外れないようになっている。
【００１４】
上記第２の取付け部材１２の一側には断面形状が逆Ｕ字状をなした保持部２１が延出されている。この保持部２１にはストッパ２２が収容され、その基端部が支持ピン２３によって回動自在に保持されている。このストッパ２２の先端部の下面には係合ピン２４が突設されている。
【００１５】
上記支持ピン２３にはＬ字状のばね２５の巻回された中途部が取着されている。このばね２５のＬ字状に屈曲された一端部は上記ストッパ２２の後端部下面に係合され、他端部は図２に示すように上記保持部２１の内面に係合されている。それによって、上記ストッパ２２は上記ばね２５によって図２に矢印で示す方向に付勢されている。
【００１６】
上記第１の取付け部材１１の４つの各辺の中央部にはそれぞれ凹溝状の係合部２６が形成されている。上記第２の取付け部材１２の回転によって上記係合部２６に上記係合ピン２４が対応位置したとき、その係合ピン２４は上記係合部２６に係合して上記第２の取付け部材１２の回転を阻止するようになっている。
【００１７】
上記ストッパ２２には解除手段２７が設けられている。この解除手段２７は板材をＵ字状に曲成した連結部材２８を有する。この連結部材２８の中途部の幅方向一端側には逆Ｕ字状に曲成された係合片２９が突設され、他端側には当接ピン３１が設けられている。
【００１８】
さらに、上記連結部材２８の幅方向両側外面にはそれぞれ操作レバー３２の一端部が固着されている。この操作レバー３２は上記連結部材２８に連結される基端部がＬ字状に折曲され、先端部は基端部よりも大きなＬ字状に折曲されている。
【００１９】
上記連結部材２８は、その係合片２９の折曲された先端部を上記保持部２１の上記ストッパ２２を支持した支持ピン２３に係合させ、上記当接ピン３１を上記ストッパ２２の内面に当接させて設けられている。
【００２０】
連結部材２８の開放した上面には上記ストッパ２２を挟み込む状態で保持板３３が接合され、図１に示すねじ３４によって上記連結部材２８に固定されている。それによって、上記連結部材２８は上記ストッパ２２と一体化されている。
【００２１】
連結部材２８をストッパ２２と一体化すると、上記操作レバー３２の先端部は、図４に示すように座部６の幅方向両側下面に位置し、そして上記ストッパ２２とほぼ同じ方向、つまり座部６の前端側に向っている。
【００２２】
一対の操作レバー３２の中途部は、上記座部体４の下面に設けられたブラケット３５によってそれぞれ回転自在に支持されている。それによって、上記操作レバー３２に力を加えたときに、その操作レバー３２が撓むのを防止している。
【００２３】
このように構成された椅子１によると、通常、ストッパ２２は、ばね２５の付勢力によって付勢されることで、その先端部に設けられた係合ピン２４が脚体２に取付けられた第１の取付け部材１１の係合部２６に係合している。それによって、座部体４は回転するのが阻止されている。
【００２４】
座部６に着座した利用者が着座方向を変えたいときに座部体４を回転させるには、座部６の幅方向両側下面に位置する操作レバー３２の先端部に手を掛け、その先端部を上方へ引いて操作レバー３２を回動させる。
【００２５】
それによって、操作レバー３２の回動が連結部材２８を介してストッパ２２に伝達されるから、このストッパ２２がばね２５の付勢力に抗して図２に矢印で示す方向と逆方向へ回動することになる。
【００２６】
ストッパ２２が回動すれば、図３(ｂ）に示すように、ストッパ２２が係合部２６に係合した状態から、図３（ａ）に示すように外れるから、座部体４が脚体２に対して回動可能な状態となる。
【００２７】
したがって、その状態で利用者が座部体４を回動させれば、上記係合ピン２５が次の係合部２６に係合するまで、この実施の形態で図５（ａ）から図５（ｂ）に示すように９０度回転させることができる。
【００２８】
上記ストッパ２２に一対の操作レバー３２を有する解除手段２７を一体的に設けるようにしたことで、上記ストッパ２２の回動操作を上記操作レバー３２によって行うことができる。
【００２９】
一対の操作レバー３２はストッパ２２の側方に突出し、その先端部は座部体４の幅方向両側下面に位置しているから、座部体４の座部６に着座した利用者は、両手で座部６の幅方向両側を掴むと同時に、上記操作レバー３２の先端部を掴んで操作することができる。
【００３０】
そのため、利用者は操作レバー３２を操作するために身体をほとんど動かさずに行うことができ、しかも座部６の幅方向両端部を利用することで軽い力で操作できるから、その操作を容易に、しかも確実に行うことができる。
【００３１】
しかも、上記操作レバー３２の先端部は、ストッパ２２とほぼ同方向になるよう座部６の先端側に向って屈曲されている。つまり、操作レバー３２の先端部の回動方向はストッパ２２の回動方向とほぼ同じ方向になっているから、そのことによっても、上記ストッパ２２を操作レバー３２によって容易に回動操作することができる。
【００３２】
一対の操作レバー３２の中途部は座部６の下面に設けられたブラケット３５に回動自在に支持されている。そのため、操作レバー３２の先端部を掴んで回動させる場合、その操作レバー３２が回動方向と交差する方向に撓みにくい。つまり、操作レバー３２の中途部がその長手方向に沿って撓みにくいから、そのことによってもストッパ２２を軽い力で確実に、上記ばね２５の付勢力に抗して回動させることができる。
【００３３】
つまり、操作レバー３２の中途部をブラケット３５で支持したことで、この操作レバー３２を操作し易いように十分に長くしても、撓むことなく確実に操作することが可能となる。
【００３４】
【発明の効果】
以上のようにこの発明によれば、ストッパを操作する操作レバーをこのストッパと一体的に設け、その操作レバーの先端部を上記ストッパとほぼ同方向に屈曲した。
【００３５】
そのため、上記操作レバーによって上記ストッパの操作を容易に、しかも確実に行うことができる。
【００３６】
また、上記操作レバーの中途部を座部体の下面に回動自在に支持するとともに、その先端部を座部体の両側下面に位置させた。
【００３７】
それによって、座部体に着座した利用者が上記操作レバーを容易に操作することができるばかりか、上記操作レバーの中途部が撓みにくいため、その操作を確実に行うこともできる。
【００３８】
しかも、操作レバーが一対設けられているため、利用者は両方の手あるいは左右どちらかの手のいずれでも操作できるため、非常に便利である。
【図面の簡単な説明】
【図１】この発明の一実施の形態を示す回転手段の分解斜視図。
【図２】同じく回転手段が設けられた部分の拡大断面図。
【図３】（ａ），（ｂ）同じくストッパが係合部から外れた状態と係合した状態との説明図。
【図４】同じく座部体の下面側を示す平面図。
【図５】（ａ），（ｂ）同じく椅子の座部体の向きを変えた状態の斜視図。
【符号の説明】
２…脚体
３…回転手段
４…座部体
１１…第１の取付け部材
１２…第２の取付け部材
２２…ストッパ
２４…係合ピン
２５…ばね
２６…係合部
２７…解除手段
２８…連結部材
３２…操作レバー
【図１】
0003688143.tif 000002
【図２】
0003688143.tif 000003
【図３】
0003688143.tif 000004
【図４】
0003688143.tif 000005
【図５】
0003688143.tif 000006